【手続補正書】
【提出日】平成18年7月18日(2006.7.18)
【手続補正１】
【補正対象書類名】明細書
【補正対象項目名】発明の名称
【補正方法】変更
【補正の内容】
【発明の名称】カーナビゲーションシステム
【手続補正２】
【補正対象書類名】明細書
【補正対象項目名】特許請求の範囲
【補正方法】変更
【補正の内容】
【特許請求の範囲】
【請求項１】  自車の位置を検出する位置検出装置と、地図や走行中の自車の位置を表示するディスプレイとを有するカーナビゲーションであって、ナビゲーションのための基本地図情報を記憶するハードディスクと、前記位置検出装置の検出結果に基づいて、前記ハードディスクから読み出した基本地図情報を、前記ディスプレイの表示画面内に表示するプログラムを実行するＣＰＵと、前記ハードディスクに記憶された基本地図情報を外部から伝達し更新する外部記憶装置と、を備えることを特徴とするカーナビゲーションシステム。
【請求項２】  自車の位置を検出する位置検出装置と、地図や走行中の自車の位置を表示するディスプレイとを有するカーナビゲーションであって、ナビゲーションのための基本地図情報、特定施設の経度緯度位置データ、該特定施設のロゴマーク画像情報を記憶するハードディスクと、前記位置検出装置の検出結果に基づいて、前記ハードディスクから前記基本地図情報及び特定施設の経度緯度位置データ並びに特定施設のロゴマーク画像情報を読み出し、前記ディスプレイの表示画面内に存在する前記特定施設の所在地を地図上に確定し、前記特定施設のロゴマークを前記基本地図上に重ねて表示するプログラムを実行するＣＰＵと、前記ハードディスクに記憶した基本地図情報、特定施設の経度緯度位置データ、該特定施設のロゴマーク画像情報を外部から伝達し更新する外部記憶装置と、
を備えることを特徴とするカーナビゲーションシステム。
【請求項３】  自車の位置を検出する位置検出装置と、地図や走行中の自車の位置を表示するディスプレイとを有するカーナビゲーションであって、ナビゲーションのための基本地図情報、特定施設の経度緯度位置データ、該特定施設のロゴマーク画像情報を記憶するハードディスクと、前記位置検出装置の検出結果に基づいて、前記ハードディスクから前記基本地図情報及び特定施設の経度緯度位置データ並びに特定施設のロゴマーク画像情報を読み出し、前記ディスプレイの表示画面内に存在する前記特定施設の所在地を地図上に確定し、前記特定施設のロゴマークを前記基本地図上に重ねて表示するプログラムを実行するＣＰＵと、前記ハードディスクに記憶した基本地図情報、特定施設の経度緯度位置データ、該特定施設のロゴマーク画像情報を外部から伝達し更新する通信装置と、を備えることを特徴とするカーナビゲーションシステム。
【手続補正３】
【補正対象書類名】明細書
【補正対象項目名】０００１
【補正方法】変更
【補正の内容】
【０００１】
【発明の属する技術分野】この出願の発明は、カーナビゲーションシステムに関し、さらに詳しくは、基本地図情報に加えて施設等の広告宣伝情報を重ねて表示することのできるカーナビゲーションシステムに関する。
【手続補正４】
【補正対象書類名】明細書
【補正対象項目名】００１２
【補正方法】変更
【補正の内容】
【００１２】
この出願の発明は、第１には、自車の位置を検出する位置検出装置と、地図や走行中の自車の位置を表示するディスプレイとを有するカーナビゲーションであって、ナビゲーションのための基本地図情報を記憶するハードディスクと、前記位置検出装置の検出結果に基づいて、前記ハードディスクから読み出した基本地図情報を、前記ディスプレイの表示画面内に表示するプログラムを実行するＣＰＵと、前記ハードディスクに記憶された基本地図情報を外部から伝達し更新する外部記憶装置と、を備えることを特徴とするカーナビゲーションシステムを提供する。
【手続補正５】
【補正対象書類名】明細書
【補正対象項目名】００１３
【補正方法】変更
【補正の内容】
【００１３】
また、この出願の発明は、第２には、自車の位置を検出する位置検出装置と、地図や走行中の自車の位置を表示するディスプレイとを有するカーナビゲーションであって、ナビゲーションのための基本地図情報、特定施設の経度緯度位置データ、該特定施設のロゴマーク画像情報を記憶するハードディスクと、前記位置検出装置の検出結果に基づいて、前記ハードディスクから前記基本地図情報及び特定施設の経度緯度位置データ並びに特定施設のロゴマーク画像情報を読み出し、前記ディスプレイの表示画面内に存在する前記特定施設の所在地を地図上に確定し、前記特定施設のロゴマークを前記基本地図上に重ねて表示するプログラムを実行するＣＰＵと、前記ハードディスクに記憶した基本地図情報、特定施設の経度緯度位置データ、該特定施設のロゴマーク画像情報を外部から伝達し更新する外部記憶装置と、を備えることを特徴とするカーナビゲーションシステムを提供する。
【手続補正６】
【補正対象書類名】明細書
【補正対象項目名】００１４
【補正方法】変更
【補正の内容】
【００１４】
さらに、この出願の発明は、第３には、自車の位置を検出する位置検出装置と、地図や走行中の自車の位置を表示するディスプレイとを有するカーナビゲーションであって、ナビゲーションのための基本地図情報、特定施設の経度緯度位置データ、該特定施設のロゴマーク画像情報を記憶するハードディスクと、前記位置検出装置の検出結果に基づいて、前記ハードディスクから前記基本地図情報及び特定施設の経度緯度位置データ並びに特定施設のロゴマーク画像情報を読み出し、前記ディスプレイの表示画面内に存在する前記特定施設の所在地を地図上に確定し、前記特定施設のロゴマークを前記基本地図上に重ねて表示するプログラムを実行するＣＰＵと、前記ハードディスクに記憶した基本地図情報、特定施設の経度緯度位置データ、該特定施設のロゴマーク画像情報を外部から伝達し更新する通信装置と、を備えることを特徴とするカーナビゲーションシステムを提供する。
【手続補正７】
【補正対象書類名】明細書
【補正対象項目名】００２４
【補正方法】変更
【補正の内容】
【００２４】
画面表示される基本地図は、自車の走行環境、高速道路か一般道路かにより縮尺が変わるので、一般道走向中にあっては、自車が表示画面の外にあって、表示されていなくても、当該広告宣伝施設から所定の距離範囲内に入り接近している場合には、当該広告宣伝施設の情報を表示することも生ずる。
【手続補正８】
【補正対象書類名】明細書
【補正対象項目名】００２６
【補正方法】変更
【補正の内容】
【００２６】
例えば、図６に示すように、自車（６１）が広告宣伝該当施設の所定の範囲（６５）に接近するとき、所定のプログラム（図３）が起動し、当該施設（５１）は、広告宣伝のため、図４に示すようなロゴマーク等による画面表示、また音声案内または、図５に示すような広告宣伝拡大画面表示が実行される。図３の広告宣伝情報部の処理の中での仕様選択において、ロゴマーク、名称の色表示は他の背景と比較し強調するため赤や黄色等特色ある色を使用したり、特色あるロゴマークで表示する。
【手続補正９】
【補正対象書類名】明細書
【補正対象項目名】００３１
【補正方法】変更
【補正の内容】
【００３１】
【発明の効果】以上説明したように、本発明によれば、広告宣伝の提供者、利用者および管理会社の３者にとって有効なカーナビゲーションシステムが提供され、きめ細かい広告宣伝情報を最も適切な方法で広告宣伝として自動表示できる。外部記憶装置であるＣＤ−ＲＯＭおよび携帯電話等から伝達される基本地図情報、広告宣伝情報は適時、必要な情報をハードディスクに所定の方法により記憶、更新できる。
【手続補正１０】
【補正対象書類名】明細書
【補正対象項目名】００３２
【補正方法】削除
【補正の内容】
【手続補正１１】
【補正対象書類名】明細書
【補正対象項目名】００３３
【補正方法】削除
【補正の内容】
【手続補正１２】
【補正対象書類名】明細書
【補正対象項目名】００３４
【補正方法】削除
【補正の内容】